(57)【要約】      （修正有）【課題】パソコンを起動してデータを保存する必要のないメモリ機能付きモバイルバッテリを提供する。【解決手段】メモリ機能付きモバイルバッテリ８０は、本体１０、充放電装置２０及び携帯可能なＵＳＢメモリ５０を備える。充放電装置２０には、充電回路２１、放電回路２３、メモリコントロールユニット２４、ＵＳＢ充電ポート３０、及びＵＳＢ放電ポート４０で構成される。携帯可能なＵＳＢメモリ５０は、メモリ５１と、メモリ５１に接続されると共にメモリ５１のデータの読み書きを行いＵＳＢ充電ポート３０及びＵＳＢ放電ポート４０にそれぞれ接続されるコントローラ５２と、放電回路２３及びコントローラ５２にそれぞれ接続され、本体１０内で電力を獲得してコントローラ５２の電圧源に給電する電圧源５３を有する。【選択図】図２
0003194336.tif 000002
【実用新案登録請求の範囲】
【請求項１】
バッテリが設けられている本体と、
前記本体内に設置されている充放電装置と、
前記本体内に内蔵されている携帯可能なＵＳＢメモリと、を備え、
前記充放電装置は、
外部電源を利用して前記バッテリを蓄電させる充電回路と、
前記バッテリに接続されており、前記バッテリの電力を出力する放電回路と、
前記充電回路、前記放電回路、及び前記バッテリに接続されており、前記バッテリの充電或いは放電を制御するメモリコントロールユニットと、
前記本体の所定の側辺に設けられており、直流電圧を前記充電回路に供給するＵＳＢ充電ポートと、
前記本体の所定の側辺に設けられており、前記放電回路に接続されているＵＳＢ放電ポートと、を有し、
前記携帯可能なＵＳＢメモリは、
メモリと、
前記メモリに接続されており、前記メモリに対してデータの読み書きを行い、前記ＵＳＢ充電ポート及び前記ＵＳＢ放電ポートにそれぞれ接続されているコントローラと、
前記放電回路及び前記コントローラにそれぞれ接続されており、前記本体内で電力を獲得して前記コントローラに給電する電圧源と、を有し、
前記本体は、モバイルバッテリの機能、及び、データを保存する機能を兼備する構成を有することを特徴とするメモリ機能付きモバイルバッテリ。
【請求項２】
前記メモリはフラッシュメモリであることを特徴とする請求項１記載のメモリ機能付きモバイルバッテリ。
【請求項３】
前記メモリは、前記本体の側辺に設けられており、メモリーカードを抜き差し可能なスロットを有することを特徴とする請求項１記載のメモリ機能付きモバイルバッテリ。
【請求項４】
前記メモリは前記本体内に直接に固定されていることを特徴とする請求項１記載のメモリ機能付きモバイルバッテリ。
【請求項５】
前記本体には、前記携帯可能なＵＳＢメモリの前記コントローラに接続されており、前記メモリのデータの伝送を制御するスイッチが設置されることを特徴とする請求項１記載のメモリ機能付きモバイルバッテリ。
【請求項６】
前記充放電装置は、前記ＵＳＢ充電ポートと前記メモリコントロールユニットとの間に接続されている参考電圧源、前記バッテリ、前記メモリコントロールユニットと前記充電回路に接続されているバッテリ保護回路、及び前記メモリコントロールユニットに接続されている充放電表示ユニットを更に有することを特徴とする請求項１記載のメモリ機能付きモバイルバッテリ。
【考案の詳細な説明】
【技術分野】
【０００１】
本考案は、メモリ機能付きモバイルバッテリに関し、より詳しくは、モバイルバッテリ機能及び携帯可能なメモリ機能が一体となっているメモリ機能付きモバイルバッテリに関する。
【背景技術】
【０００２】
エレクトロニクス技術及びＩＴ技術の進歩にともない、デジタルカメラ、ＭＰ３、ＰＤＡ、スマートフォン、タブレットコンピュータ等の携帯型電子機器は普及を続けている。
【考案の概要】
【考案が解決しようとする課題】
【０００３】
これらの３Ｃ電気製品である携帯型電子機器にはバッテリが必須であるため、追随して携帯式のモバイルバッテリ（ｐｏｗｅｒ  ｂａｎｋ）が発展した。小型の装置に予備の電力を蓄電しておけば、使用者がいつでもどこでも電子機器の電源切れを心配せずに使用でき便利である。
【０００４】
また、スマートフォン、タブレットコンピュータ等の携帯式装置は、小型軽量化の設計を達成するためにデータの保存領域が制限されており、外付けハードディスクを用いてデータの保存領域を確保する場合がある。このため、使用者は外出の際に携帯電話やタブレットコンピュータ以外にもハードディスク及びモバイルバッテリ（ｐｏｗｅｒ  ｂａｎｋ）を携帯する必要がある。しかしながら、これでは使用者にとって不便であり、改善の余地がある。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものであり、その目的は、携帯電話の余ったデータをモバイルバッテリに内蔵された携帯可能なＵＳＢメモリに直接伝送することで、パソコンを起動してデータを保存する必要としないメモリ機能付きモバイルバッテリを提供することにある。
【課題を解決するための手段】
【０００７】
上述した課題を解決し、目的を達成するために、本考案に係るメモリ機能付きモバイルバッテリは、携帯可能なＵＳＢメモリがモバイルバッテリの本体に内蔵されている。また、メモリ、メモリに接続されると共にメモリのデータの読み書きを行い且つＵＳＢ充電ポート及びＵＳＢ放電ポートにそれぞれ接続されているコントローラ（Ｃｏｎｔｒｏｌｌｅｒ）、及び、放電回路及びコントローラにそれぞれ接続されており本体内で電力を獲得してコントローラに供給する電圧源を備える。これにより、本体は、モバイルバッテリ機能及びデータを保存する機能を有する。
【０００８】
上述の技術手段により、本考案ではモバイルバッテリとＵＳＢメモリとを結合させ、同時に蓄電、給電、データ保存、データ伝送等の多くの機能を一体化し、また、データを伝送すると同時にタブレットコンピュータや携帯電話に対し充電を行い、利便性を高めることができる。
【０００９】
また、一台で２つの機能を有し、モバイルバッテリおよびＵＳＢメモリを携帯する必要がなくなる。
【００１０】
また、パソコンに対しモバイルバッテリで充電を行うと同時に、ＵＳＢメモリのデータをパソコンに伝送する、或いは重要なデータをパソコンからＵＳＢメモリに伝送することができ、外出先での使用が便利である。
【図面の簡単な説明】
【００１１】
【図１】本考案の一実施形態によるメモリ機能付きモバイルバッテリを示す斜視図である。
【図２】本考案の一実施形態によるメモリ機能付きモバイルバッテリの回路を示す模式図である。
【図３】本考案の一実施形態によるメモリ機能付きモバイルバッテリの使用状態を示す模式図である。
【考案を実施するための形態】
【００１２】
以下に図面を参照して、本考案を実施するための形態について、詳細に説明する。なお、本考案は、以下に説明する実施形態に限定されるものではない。
【００１３】
（一実施形態）
以下、本考案を図１〜３に基づいて説明する。
本考案の一実施形態に係るメモリ機能付きモバイルバッテリは、本体１０、及び、本体１０内に設置される充放電装置２０を備える。なお、充放電装置２０は、外部電源をバッテリ２２に蓄電させるための充電回路２１、バッテリ２２に接続されると共にバッテリ２２の電力を出力させる放電回路２３、充電回路２１、放電回路２３及びバッテリ２２に接続されると共にバッテリ２２の充電或いは放電を制御させるメモリコントロールユニット（ＭＣＵ）２４、本体１０の所定の側辺に設けられると共に直流電圧を充電回路２１に供給するためのＵＳＢ充電ポート３０、及び本体１０の所定の側辺に設けられると共に放電回路２３に接続されるＵＳＢ放電ポート４０を更に具備する。
本実施形態では、充放電装置２０は、ＵＳＢ充電ポート３０とメモリコントロールユニット２４との間に接続される参考電圧源２５、バッテリ２２、メモリコントロールユニット２４及び充電回路２１に接続されるバッテリ保護回路２６、及びメモリコントロールユニット２４に接続される充放電表示ユニット２７を更に備え、モバイルバッテリを構成させる。しかしながら、上述のモバイルバッテリは従来の技術に属するため、その説明を省略する。
【００１４】
本考案の主な特徴は、携帯可能なＵＳＢメモリ５０が本体１０に内蔵され、メモリ５１、メモリ５１に接続されると共にメモリ５１に対してデータの読み書きを行い、且つＵＳＢ充電ポート３０及びＵＳＢ放電ポート４０にそれぞれ接続されるコントローラ５２、放電回路２３及びコントローラ５２にそれぞれ接続され、本体１０内で電力を獲得してコントローラ５２に供給させる電圧源５３を備える。これにより、本体１０はモバイルバッテリ及びデータの伝送と保存の構造を兼備して一体化される。本実施形態では、ＵＳＢ充電ポート３０及びＵＳＢ放電ポート４０は、ＵＳＢ（Ｕｎｉｖｅｒｓａｌ  Ｓｅｒｉａｌ  Ｂｕｓ：ＵＳＢ）、ミニＵＳＢ及びマイクロＵＳＢ等の規格の通信プロトコル（ｃｏｍｍｕｎｉｃａｔｉｏｎ  ｐｒｏｔｏｃｏｌ）を含む。
【００１５】
本実施形態では、メモリ５１は、本体１０の側辺にメモリーカード５１２を抜き差しして交換するためのメモリーカードスロット５１１が設けられるが、但しこれに限定されない。例えば、他の実施形態では、メモリ５１が本体１０内の回路基板に直接固定されてもよい（図示せず）。メモリ５１内にはアプリのプログラムが保存され、メモリ５１はマイクロＳＤカード、ＳＤカード、ＮＦＣカード（ＮＦＣ）、コンパクトフラッシュカード（ＣＦ）、スマートメディアカード（ＳＭＣ）、マルチメディアカード（ＭＭＣ）、メモリースティック（ＭＳ）等であるが、これらに限定はされない。ＵＳＢ放電ポート４０は伝送線６１を通して携帯型電子装置（携帯電話６０或いはタブレットコンピュータ）に接続され、メモリ５１は携帯型電子装置（携帯電話６０或いはタブレットコンピュータ）のデータの保存や、メモリ容量の拡張に用いられる。
【００１６】
さらに、本体１０にはスイッチ１１が設置され、スイッチ１１は携帯可能なＵＳＢメモリ５０のコントローラ５２に接続されると共にメモリ５１のデータ伝送を制御させる。本実施形態では、メモリはフラッシュメモリ（Ｆｌａｓｈ  Ｍｅｍｏｒｙ）であるが、但しこれに制限されない。
【００１７】
上述の技術手段を支援するため、本考案では付属のソフトウェアにより、携帯電話６０（或いはタブレットコンピュータ）の標準のＵＳＢインターフェース（充電＋データ伝送）を経由し、データを携帯可能なＵＳＢメモリ５０のメモリ５１内に保存させ、或いは携帯可能なＵＳＢメモリ５０のデータを携帯電話６０（或いはタブレットコンピュータ）に保存させ、双方向のデータ伝送を実現する。携帯可能なＵＳＢメモリ５０の電源は放電回路２３から供給され、本考案がパソコン７０（一般的なパソコン及びノートパソコンを含む）に接続されると、パソコン７０のＵＳＢポート７１は伝送線７２を通して本体１０に充電を行い、同時に携帯可能なＵＳＢメモリ５０のデータ伝送を実行可能である。
このほか、本考案が携帯電話６０（或いはタブレットコンピュータ）に接続されると、本体１０のスイッチ１１を入れるだけで（ＰＯＷＥＲ  ＯＮ）携帯電話６０（或いはタブレットコンピュータ）に対し充電を行え、同時にデータ伝送も実行できる。以上の２つの状況では、データ伝送を行わない場合、外付けハードディスクを接続した場合と同様に、パソコン７０或いは携帯電話６０には外付けハードディスクの符号が表示され、モバイルバッテリも同様に充電或いは放電機能を実行させる。
【００１８】
従って、本考案はモバイルバッテリとＵＳＢメモリとを上手く結合させ、蓄電、給電、データ保存、データ伝送等の多くの機能を有して一体化させ、且つデータを伝送させると同時にタブレットコンピュータや携帯電話に対して充電を行え、利便性を向上させる。
【００１９】
上述の実施形態は本考案の技術思想及び特徴を説明するためのものにすぎず、当該技術分野を熟知する者に本考案の内容を理解させると共にこれをもって実施させることを目的とし、実用新案登録請求の範囲を限定するものではない。従って、本考案の精神を逸脱せずに行う各種の同様の効果をもつ改良又は変更は、請求の範囲に含まれるものとする。
【符号の説明】
【００２０】
１０  本体
１１  スイッチ
２０  充放電装置
２１  充電回路
２２  バッテリ
２３  放電回路
２４  メモリコントロールユニット
２５  参考電圧源
２６  バッテリ保護回路
２７  充放電表示ユニット
３０  ＵＳＢ充電ポート
４０  ＵＳＢ放電ポート
５０  携帯可能なＵＳＢメモリ
６０  携帯電話
６１  伝送線
７０  パソコン
７１  ＵＳＢポート
７２  伝送線
８０  メモリ機能付きモバイルバッテリ
【図１】
0003194336.tif 000003
【図２】
0003194336.tif 000004
【図３】
0003194336.tif 000005